(57)【要約】【課題】冷却された送風空気に温度分布が生じてしまうことを抑制可能なエジェクタ式冷凍サイクル用の蒸発器ユニットを提供する。【解決手段】エジェクタタンクに収容されたエジェクタから流出した冷媒を蒸発させる流出側蒸発器の上部流出側タンクに、流出側チューブへ冷媒を分配する流出側分配空間を形成し、この流出側分配空間内に、流出側分配空間をエジェクタ側分配空間およびチューブ側分配空間に仕切る板状部材９３を配置する。さらに、板状部材に、エジェクタ側分配空間とチューブ側分配空間とを連通させる複数の第２流出側連通穴９３ｄを形成し、エジェクタに近い第１領域ＥＦ１、流出側分配空間の長手方向中央部に位置付けられる第３領域ＥＦ３、およびエジェクタから離れた第５領域ＥＦ５における開口面積を、第２領域ＥＦ２、第４領域ＥＦ４の開口面積よりも大きくする。【選択図】図４
2018004233.tif 000002
【特許請求の範囲】
【請求項１】
冷媒を減圧させるノズル部（１５ａ）、並びに、前記ノズル部から噴射される高速度の噴射冷媒の吸引作用によって冷媒を吸引する冷媒吸引口（１５ｃ）、および前記噴射冷媒と前記冷媒吸引口から吸引された吸引冷媒とを混合させて昇圧させる昇圧部（１５ｄ）が形成されたボデー部（１５ｂ）を有するエジェクタ（１５）と、
前記昇圧部から流出した冷媒を蒸発させる流出側蒸発部（１７）と、
冷媒を蒸発させて前記冷媒吸引口側へ流出させる吸引側蒸発部（１８）と、を備え、
前記流出側蒸発部は、冷媒を流通させる複数の流出側チューブ（７１）、および前記複数の流出側チューブを流通する冷媒の集合あるいは分配を行う流出側タンク（７２、７３）を有し、
前記流出側タンクは、前記複数の流出側チューブの積層方向に延びる形状に形成されており、
前記流出側タンク内には、前記昇圧部から流出した冷媒を前記流出側チューブへ分配する流出側分配空間（７２ｂ）が形成されており、
前記エジェクタは、前記流出側タンクと平行に延びる形状に形成されたエジェクタタンク（２３）に収容されており、
前記エジェクタタンク内には、前記昇圧部から流出した冷媒を流入させるエジェクタ流出側空間（２３ｃ）が形成されており、
前記流出側分配空間の内部には、前記流出側分配空間を仕切る仕切板（９３）が配置されており、
前記仕切板は、前記流出側タンクの長手方向に延びて、前記流出側分配空間を、前記エジェクタ流出側空間から流出した冷媒を流入させるエジェクタ側分配空間（７２１ｂ）、および前記流出側チューブへ冷媒を流出させるチューブ側分配空間（７２２ｂ）に仕切っており、
前記仕切板には、前記エジェクタ側分配空間と前記チューブ側分配空間とを連通させる連通穴（９３ｄ）が形成されており、
前記仕切板を長手方向に向かって５等分して、前記エジェクタに近い側から順に第１領域（ＥＦ１）、第２領域（ＥＦ２）、第３領域（ＥＦ３）、第４領域（ＥＦ４）、第５領域（ＥＦ５）と定義したときに、
前記連通穴は、前記第１領域、前記第３領域、前記第５領域における開口面積が、それぞれ前記第２領域、前記第４領域における開口面積よりも大きく形成されている蒸発器ユニット。
【請求項２】
前記連通穴は、前記第３領域における開口面積が、それぞれ前記第１領域、前記第５領域における開口面積よりも大きく形成されている請求項１に記載の蒸発器ユニット。
【請求項３】
前記連通穴は、複数の穴で形成されており、
複数の前記穴の開口面積は互いに同一であり、
複数の前記穴は、前記長手方向に互いに不等間隔で配置されている請求項１または２に記載の蒸発器ユニット。
【請求項４】
前記連通穴は、複数の穴で形成されており、
前記第１領域、前記第３領域、前記第５領域に配置された前記穴の開口面積が、前記第２領域、前記第４領域に配置された前記穴の開口面積よりも大きく形成されている請求項１または２に記載の蒸発器ユニット。
【請求項５】
前記連通穴は、複数の穴で形成されており、
複数の前記穴は、前記長手方向に間隔をあけて配置されており、
前記間隔の最大値（ＨＬ）は、予め定めた基準本数の前記流出側チューブが積層配置された際の積層距離以下となっている請求項１ないし４のいずれか１つに記載の蒸発器ユニット。
【請求項６】
前記エジェクタ流出側空間および前記エジェクタ側分配空間は、複数の冷媒連通路（７２ｃ）を介して連通しており、
前記連通穴の開口面積は、前記複数の冷媒連通路（７２ｃ）の合計通路面積以上となっている請求項１ないし５のいずれか１つに記載の蒸発器ユニット。
【請求項７】
前記エジェクタ流出側空間（２３ｃ）および前記エジェクタ側分配空間（７２１ｂ）は、複数の冷媒連通路（７２ｃ）を介して連通しており、
前記複数の冷媒連通路（７２ｃ）は、前記長手方向に並んで配置されており、
前記仕切板の前記第１領域、前記第３領域、前記第５領域に近接配置された前記冷媒連通路の開口面積は、いずれも前記第２領域および前記第４領域に近接配置された前記冷媒連通路の開口面積よりも大きく形成されている請求項１ないし６のいずれか１つに記載の蒸発器ユニット。
【発明の詳細な説明】
【技術分野】
【０００１】
本発明は、エジェクタ式冷凍サイクルに適用される蒸発器ユニットに関する。
【背景技術】
【０００２】
従来、冷媒減圧装置としてエジェクタを備える蒸気圧縮式の冷凍サイクル装置であるエジェクタ式冷凍サイクルが知られている。さらに、特許文献１には、この種のエジェクタ式冷凍サイクルに適用される蒸発器ユニットが開示されている。この特許文献１の蒸発器ユニットは、エジェクタ、流出側蒸発部、吸引側蒸発部等を一体化（ユニット化）させたものである。
【０００３】
より具体的には、特許文献１の蒸発器ユニットの流出側蒸発部は、送風空気流れ上流側に配置されたエジェクタの昇圧部（ディフューザ部）から流出した冷媒を蒸発させる熱交換部である。吸引側蒸発部は、送風空気流れ下流側に配置されて蒸発させた冷媒をエジェクタの冷媒吸引口側へ流出させる熱交換部である。また、エジェクタは、筒状のエジェクタタンクに収容された状態で、流出側蒸発部および吸引側蒸発部に一体化されている。
【０００４】
特許文献１の蒸発器ユニットでは、流出側蒸発部および吸引側蒸発部を、いわゆるタンクアンドチューブ型の熱交換器で構成している。そして、エジェクタタンク、流出側蒸発部にて冷媒の分配あるいは集合を行う流出側タンク、および吸引側蒸発部にて冷媒の分配あるいは集合を行う吸引側タンクを、互いに平行に配置して接合することによって、エジェクタ、流出側蒸発部、吸引側蒸発部等を一体化させている。
【０００５】
さらに、特許文献１の蒸発器ユニットでは、各タンクの接合部に各タンクの内部に形成された空間同士を連通させる冷媒連通路を形成して、エジェクタ、流出側蒸発部、および吸引側蒸発部を接続している。
【０００６】
例えば、エジェクタタンクと流出側タンクとの接合部に、エジェクタタンク内のエジェクタから流出した冷媒を流入させる空間（エジェクタ流出側空間）と流出側タンク内の流出側蒸発部の各流出側チューブへ冷媒を分配する空間（流出側分配空間）とを連通させる冷媒連通路を形成している。そして、この冷媒連通路を介して、エジェクタから流出した冷媒を流出側蒸発部へ流入させている。
【先行技術文献】
【特許文献】
【０００７】
【特許文献１】特開２０１１−２２０５５１号公報
【発明の概要】
【発明が解決しようとする課題】
【０００８】
ところで、特許文献１の蒸発器ユニットでは、エジェクタタンクおよび流出側タンクが、流出側蒸発器の複数のチューブ（流出側チューブ）の積層方向へ延びる形状に形成されている。さらに、エジェクタタンク内部のエジェクタ流出側空間と流出側タンク内部の流出側分配空間とを連通させる冷媒連通路が、エジェクタタンクおよび流出側タンクの長手方向に並んで複数箇所に設けられている。
【０００９】
このように複数箇所に冷媒連通路が設けられていると、エジェクタから流出した冷媒を、複数の冷媒連通路から均等に流入させることが難しくなってしまう。
【００１０】
その理由は、エジェクタから流出した冷媒は、エジェクタ流出側空間内の一部の領域に偏在しやすいからである。例えば、エジェクタから流出した冷媒の慣性力が所定の値となる運転条件では、エジェクタ流出側空間のエジェクタから離れた側に冷媒が偏在しやすくなる。一方、エジェクタから流出した冷媒の流速が遅くなる運転条件では、エジェクタ流出側空間のエジェクタに近い側に冷媒が偏在しやすくなる。
【００１１】
さらに、エジェクタ流出側空間内の一部の領域に偏在する冷媒は、近接配置された冷媒連通路を介して、流出側分配空間へ流入しやすい。このため、流出側分配空間内の冷媒にも分布が生じてしまい、流出側分配空間から各流出側チューブへ均等な流量の冷媒を流入させることができなくなってしまう。
【００１２】
その結果、流出側蒸発器にて冷却された送風空気に温度分布を生じさせてしまう。延いては、蒸発器ユニット全体として、冷却された送風空気に温度分布を生じさせてしまう。
【００１３】
本発明は、上記点に鑑み、エジェクタ式冷凍サイクルに適用される蒸発器ユニットにて冷却された送風空気に生じる温度分布を抑制することを目的とする。
【課題を解決するための手段】
【００１４】
本発明は、上記目的を達成するために案出されたもので、請求項１に記載の発明は、冷媒を減圧させるノズル部（１５ａ）、並びに、ノズル部から噴射される高速度の噴射冷媒の吸引作用によって冷媒を吸引する冷媒吸引口（１５ｃ）、および噴射冷媒と冷媒吸引口から吸引された吸引冷媒とを混合させて昇圧させる昇圧部（１５ｄ）が形成されたボデー部（１５ｂ）を有するエジェクタ（１５）と、昇圧部から流出した冷媒を蒸発させる流出側蒸発部（１７）と、冷媒を蒸発させて冷媒吸引口側へ流出させる吸引側蒸発部（１８）と、を備え、
流出側蒸発部は、冷媒を流通させる複数の流出側チューブ（７１）、および複数の流出側チューブを流通する冷媒の集合あるいは分配を行う流出側タンク（７２、７３）を有し、流出側タンクは、複数の流出側チューブの積層方向に延びる形状に形成されており、流出側タンク内には、昇圧部から流出した冷媒を流出側チューブへ分配する流出側分配空間（７２ｂ）が形成されており、エジェクタは、流出側タンクと平行に延びる形状に形成されたエジェクタタンク（２３）に収容されており、エジェクタタンク内には、昇圧部から流出した冷媒を流入させるエジェクタ流出側空間（２３ｃ）が形成されており、
流出側分配空間の内部には、流出側分配空間を仕切る仕切板（９３）が配置されており、仕切板は、流出側タンクの長手方向に延びて、流出側分配空間を、エジェクタ流出側空間から流出した冷媒を流入させるエジェクタ側分配空間（７２１ｂ）、および流出側チューブへ冷媒を流出させるチューブ側分配空間（７２２ｂ）に仕切っており、
仕切板には、エジェクタ側分配空間とチューブ側分配空間とを連通させる連通穴（９３ｄ）が形成されており、
仕切板を長手方向に向かって５等分して、エジェクタに近い側から順に第１領域（ＥＦ１）、第２領域（ＥＦ２）、第３領域（ＥＦ３）、第４領域（ＥＦ４）、第５領域（ＥＦ５）と定義したときに、連通穴は、第１領域、第３領域、第５領域における開口面積が、それぞれ第２領域、第４領域における開口面積よりも大きく形成されている蒸発器ユニットである。
【００１５】
これによれば、仕切板（９３）が配置されているので、エジェクタ流出側空間（２３ｃ）内の冷媒を、一旦、エジェクタ側分配空間（７２１）へ流入させることができる。従って、エジェクタ流出側空間（２３ｃ）内の冷媒が一部の領域に偏在していても、偏在した冷媒が、近接配置された流出側チューブ（７１）へ直接流入してしまうことを抑制することができる。
【００１６】
さらに、仕切板（９３）の連通穴（９３ｄ）のうち、エジェクタ（１５）に近い第１領域（ＥＦ１）における開口面積、仕切板（９３）の長手方向中央部に位置付けられる第３領域（ＥＦ３）における開口面積、エジェクタ（１５）から離れた第５領域（ＥＦ５）における開口面積が、他の領域の開口面積よりも大きく形成されている。
【００１７】
これにより、エジェクタ流出側空間（２３ｃ）内の冷媒がいずれの領域に偏在していても、連通穴（９３ｄ）の開口面積の大きな部位を介して、チューブ側分配空間（７２２ｂ）内の全域に流出させやすい。従って、チューブ側分配空間（７２２ｂ）から複数の流出側チューブ（７１）へ均等な流量の冷媒を流入させやすい。
【００１８】
その結果、本請求項に記載の発明によれば、エジェクタ式冷凍サイクル（１０）に適用される蒸発器ユニット（２０）にて冷却された送風空気に生じる温度分布を抑制することができる。
【００１９】
ここで、本請求項の連通穴（９３ｄ）は、単数の穴で形成されていてもよいし、複数の穴で形成されていてもよい。
【００２０】
連通穴（９３ｄ）が複数の穴で形成されている場合は、第１領域（ＥＦ１）、第３領域（ＥＦ３）、第５領域（ＥＦ５）に配置された穴の合計開口面積が、第２領域（ＥＦ２）、第４領域（ＥＦ４）に配置された穴の合計開口面積よりも大きくなるように、複数の穴の開口形状あるいは配置態様を変化させればよい。
【００２１】
一方、連通穴（９３ｄ）が単数の穴で形成されている場合は、第１領域（ＥＦ１）、第３領域（ＥＦ３）、第５領域（ＥＦ５）における連通穴（９３ｄ）の開口面積が、第２領域（ＥＦ２）、第４領域（ＥＦ４）における連通穴（９３ｄ）の開口面積よりも大きくなるように、連通穴（９３ｄ）の開口形状を変化させればよい。
【００２２】
なお、この欄および特許請求の範囲で記載した各手段の括弧内の符号は、後述する実施形態に記載の具体的手段との対応関係を示す一例である。
【図面の簡単な説明】
【００２３】
【図１】第１実施形態のエジェクタ式冷凍サイクルの全体構成図である。
【図２】第１実施形態の蒸発器ユニットの外観斜視図である。
【図３】第１実施形態の蒸発器ユニットのエジェクタタンク、上部流出側タンク、上部吸引側タンクの斜視図である。
【図４】第１実施形態の板状部材の上面図である。
【図５】第１実施形態の蒸発器ユニットのエジェクタタンク、上部流出側タンク、上部吸引側タンクを組み付けた状態における図３のＶ−Ｖ拡大断面図である。
【図６】第１実施形態の蒸発器ユニットのエジェクタタンク、上部流出側タンク、上部吸引側タンクを組み付けた状態における図３のＶＩ−ＶＩ拡大断面図である。
【図７】第１実施形態の蒸発器ユニットのエジェクタタンク、上部流出側タンク、上部吸引側タンクを組み付けた状態における図３のＶＩＩ−ＶＩＩ拡大断面図である。
【図８】第１実施形態の蒸発器ユニットのジョイント部の模式的な分解斜視図である。
【図９】第１実施形態の蒸発器ユニットのジョイント部の第２プレートの拡大平面図である。
【図１０】第１実施形態の蒸発器ユニットにおける冷媒流れを説明するための説明図である。
【図１１】第１実施形態の板状部材の第２流出側連通穴の開口位置を説明するための上面図である。
【図１２】第２流出側連通穴の数と温度差ΔＴとの関係を示すグラフである。
【図１３】第２実施形態の板状部材の上面図である。
【図１４】第３実施形態の板状部材の上面図である。
【図１５】第４実施形態の蒸発器ユニットのエジェクタタンク、上部流出側タンク、上部吸引側タンクの斜視図である。
【図１６】第５実施形態の板状部材の上面図である。
【図１７】第６実施形態の板状部材の上面図である。
【図１８】第７実施形態の板状部材の上面図である。
【図１９】第８実施形態の板状部材の上面図である。
【図２０】第９実施形態の板状部材の上面図である。
【図２１】第１０実施形態の板状部材の上面図である。
【発明を実施するための形態】
【００２４】
（第１実施形態）
以下、図１〜図１２を用いて、本発明の第１実施形態を説明する。本実施形態の蒸発器ユニット２０は、図１の全体構成図に示すように、冷媒減圧装置としてエジェクタを備える蒸気圧縮式の冷凍サイクル装置、すなわちエジェクタ式冷凍サイクル１０に適用されている。さらに、このエジェクタ式冷凍サイクル１０は、車両用空調装置に適用されており、冷却対象空間である車室内へ送風される送風空気を冷却する機能を果たす。従って、本実施形態の蒸発器ユニット２０の冷却対象流体は、送風空気である。
【００２５】
また、本実施形態のエジェクタ式冷凍サイクル１０では、冷媒としてＨＦＣ系冷媒（具体的には、Ｒ１３４ａ）を採用しており、高圧側冷媒圧力が冷媒の臨界圧力を超えない亜臨界冷凍サイクルを構成している。さらに、冷媒には圧縮機１１を潤滑するための冷凍機油が混入されている。冷凍機油の一部は冷媒とともにサイクルを循環している。
【００２６】
エジェクタ式冷凍サイクル１０の構成機器のうち、圧縮機１１は、冷媒を吸入して高圧冷媒となるまで圧縮して吐出するものである。より具体的には、本実施形態の圧縮機１１は、１つのハウジング内に固定容量型の圧縮機構、および圧縮機構を駆動する電動モータを収容して構成された電動圧縮機である。
【００２７】
この圧縮機構としては、スクロール型圧縮機構、ベーン型圧縮機構等の各種圧縮機構を採用することができる。また、電動モータは、図示しない空調制御装置から出力される制御信号によって、その作動（回転数）が制御されるもので、交流モータ、直流モータのいずれの形式のものを採用してもよい。
【００２８】
圧縮機１１の吐出口には、放熱器１２の凝縮部１２ａの冷媒入口側が接続されている。放熱器１２は、圧縮機１１から吐出された高圧側冷媒と冷却ファン１２ｃから送風された車室外空気（外気）を熱交換させることによって、高圧冷媒を放熱させて冷却する放熱用熱交換器である。
【００２９】
より具体的には、放熱器１２は、凝縮部１２ａおよびレシーバ部１２ｂを有する、いわゆるレシーバ一体型の凝縮器として構成されている。凝縮部１２ａは、圧縮機１１から吐出された高圧気相冷媒と冷却ファン１２ｃから送風された外気とを熱交換させ、高圧気相冷媒を放熱させて凝縮させる凝縮用の熱交換部である。レシーバ部１２ｂは、凝縮部１２ａから流出した冷媒の気液を分離して余剰液相冷媒を蓄える冷媒容器である。
【００３０】
冷却ファン１２ｃは、空調制御装置から出力される制御電圧によって回転数（送風空気量）が制御される電動送風機である。
【００３１】
放熱器１２のレシーバ部１２ｂの冷媒出口には、温度式膨張弁１３の入口側が接続されている。温度式膨張弁１３は、放熱器１２のレシーバ部１２ｂから流出した冷媒を減圧させるとともに、サイクルを循環する冷媒の循環冷媒流量を調整する冷媒流量調整機構である。本実施形態の温度式膨張弁１３は、蒸発器ユニット２０出口側冷媒の過熱度が予め定めた基準過熱度に近づくように循環冷媒流量を調整する。
【００３２】
このような温度式膨張弁１３としては、蒸発器ユニット２０から流出した冷媒の温度と圧力とに応じて変位する変位部材（ダイヤフラム）を有する感温部を備え、この変位部材の変位に応じて蒸発器ユニット２０出口側冷媒の過熱度が基準過熱度に近づくように弁開度を調整する機械的機構を採用することができる。
【００３３】
温度式膨張弁１３の出口には、蒸発器ユニット２０のジョイント部２４に設けられた冷媒流入口２４ａ側が接続されている。蒸発器ユニット２０は、図１の破線で囲まれたサイクル構成機器を一体化（ユニット化）させたものである。より具体的には、蒸発器ユニット２０は、分岐部１４、エジェクタ１５、流出側蒸発器１７、吸引側蒸発器１８、固定絞り１９等を一体化させたものである。
【００３４】
まず、蒸発器ユニット２０を構成する各構成機器について説明する。分岐部１４は、冷媒流入口２４ａから流入した冷媒の流れを分岐し、分岐された一方の冷媒をエジェクタ１５のノズル部１５ａの入口側へ流出させ、分岐された他方の冷媒を固定絞り１９の入口側へ流出させるものである。
【００３５】
エジェクタ１５は、分岐部１４にて分岐された一方の冷媒を低圧冷媒となるまで減圧させる冷媒減圧装置の機能を果たすとともに、高速度で噴射される冷媒流の吸引作用によって冷媒を吸引（輸送）して循環させる冷媒循環装置（冷媒輸送装置）としての機能を果たすものである。
【００３６】
より具体的には、エジェクタ１５は、ノズル部１５ａおよびボデー部１５ｂを有して構成されている。ノズル部１５ａは、冷媒の流れ方向に向かって徐々に先細る略円筒状の金属（本実施形態では、ステンレス合金または真鍮）等で形成されており、内部に形成された冷媒通路（絞り通路）にて冷媒を等エントロピ的に減圧膨張させるものである。
【００３７】
ノズル部１５ａの内部に形成された冷媒通路には、冷媒通路面積が最も縮小した喉部が形成され、さらに、この喉部から冷媒を噴射する冷媒噴射口へ向かって冷媒通路面積が徐々に拡大する末広部が形成されている。つまり、ノズル部１５ａは、ラバールノズルとして構成されている。
【００３８】
さらに、本実施形態では、ノズル部１５ａとして、エジェクタ式冷凍サイクル１０の通常運転時に、冷媒噴射口から噴射される噴射冷媒の流速が音速以上となるように設定されたものが採用されている。もちろん、ノズル部１５ａを先細ノズルで構成してもよい。
【００３９】
ボデー部１５ｂは、略円筒状の金属（本実施形態では、アルミニウム合金）で形成されており、内部にノズル部１５ａを支持固定する固定部材として機能するとともに、エジェクタ１５の外殻を形成するものである。より具体的には、ノズル部１５ａは、ボデー部１５ｂの長手方向一端側の内部に収容されるように圧入にて固定されている。従って、ノズル部１５ａとボデー部１５ｂとの固定部の隙間から冷媒が漏れることはない。
【００４０】
また、ボデー部１５ｂの外周面のうち、ノズル部１５ａの外周側に対応する部位には、その内外を貫通してノズル部１５ａの冷媒噴射口と連通するように設けられた冷媒吸引口１５ｃが形成されている。冷媒吸引口１５ｃは、ノズル部１５ａから噴射される噴射冷媒の吸引作用によって、後述する吸引側蒸発器１８から流出した冷媒をエジェクタ１５の内部へ吸引する貫通穴である。
【００４１】
さらに、ボデー部１５ｂの内部には、吸引通路１５ｅ、およびディフューザ部１５ｄが形成されている。吸引通路１５ｅは、冷媒吸引口１５ｃから吸引された吸引冷媒をノズル部１５ａの冷媒噴射口側へ導く冷媒通路である。ディフューザ部１５ｄは、冷媒吸引口１５ｃからエジェクタ１５の内部へ流入した吸引冷媒と噴射冷媒とを混合させて昇圧させる昇圧部である。
【００４２】
吸引通路１５ｅは、ノズル部１５ａの先細り形状の先端部周辺の外周側とボデー部１５ｂの内周側との間の空間によって形成されており、吸引通路１５ｅの冷媒通路面積は、冷媒流れ方向に向かって徐々に縮小している。これにより、吸引通路１５ｅを流通する吸引冷媒の流速を徐々に増加させて、ディフューザ部１５ｄにて吸引冷媒と噴射冷媒が混合する際のエネルギ損失（混合損失）を減少させている。
【００４３】
ディフューザ部１５ｄは、吸引通路１５ｅの出口に連続するように配置されて、冷媒通路面積が徐々に拡大するように形成されている。これにより、噴射冷媒と吸引冷媒とを混合させながら、その流速を減速させて噴射冷媒と吸引冷媒との混合冷媒の圧力を上昇させる機能、すなわち、混合冷媒の速度エネルギを圧力エネルギに変換する機能を果たす。
【００４４】
より具体的には、ディフューザ部１５ｄを形成するボデー部１５ｂの内周壁面の断面形状は、複数の曲線を組み合わせて形成されている。そして、ディフューザ部１５ｄの冷媒通路断面積の広がり度合が冷媒流れ方向に向かって徐々に大きくなった後に再び小さくなっていることで、冷媒を等エントロピ的に昇圧させることができる。
【００４５】
ディフューザ部１５ｄの冷媒出口には、流出側蒸発器１７の冷媒入口側が接続されている。流出側蒸発器１７は、送風ファン２０ａから車室内へ向けて送風された送風空気とディフューザ部１５ｄから流出した低圧冷媒とを熱交換させ、低圧冷媒を蒸発させて吸熱作用を発揮させることによって送風空気を冷却する吸熱用熱交換器である。
【００４６】
送風ファン２０ａは、空調制御装置から出力される制御電圧によって回転数（送風空気量）が制御される電動送風機である。流出側蒸発器１７の冷媒出口には、蒸発器ユニット２０のジョイント部２４に設けられた冷媒流出口２４ｂを介して、圧縮機１１の吸入口側が接続されている。
【００４７】
固定絞り１９は、分岐部１４にて分岐された他方の冷媒を低圧冷媒となるまで減圧させる減圧手段である。本実施形態では、固定絞り１９として、オリフィスを採用している。固定絞り１９の出口には、吸引側蒸発器１８の冷媒入口側が接続されている。
【００４８】
吸引側蒸発器１８は、送風ファン２０ａから車室内へ向けて送風されて流出側蒸発器１７を通過した送風空気と固定絞り１９から流出した低圧冷媒とを熱交換させ、低圧冷媒を蒸発させて吸熱作用を発揮させることによって送風空気を冷却する吸熱用熱交換器である。吸引側蒸発器１８の冷媒出口には、エジェクタ１５の冷媒吸引口１５ｃ側が接続されている。
【００４９】
つまり、蒸発器ユニット２０では、流出側蒸発器１７および吸引側蒸発器１８が、送風空気の空気流れに対して直列的に配置されており、吸引側蒸発器１８は、流出側蒸発器１７に対して送風空気の空気流れの風下側に配置されている。
【００５０】
さらに、流出側蒸発器１７は、エジェクタ１５のディフューザ部１５ｄから流出した冷媒を蒸発させる流出側蒸発部を構成している。吸引側蒸発器１８は、固定絞り１９から流出した冷媒を蒸発させ、蒸発させた冷媒をエジェクタ１５の冷媒吸引口１５ｃ側へ流出させる吸引側蒸発部を構成している。
【００５１】
次に、図２〜図９を用いて、蒸発器ユニット２０を構成する各構成機器の一体化について説明する。なお、図２、図３における上下の各矢印は、本実施形態の蒸発器ユニット２０を車両に搭載した状態における上下の各方向を示している。
【００５２】
本実施形態の流出側蒸発器１７および吸引側蒸発器１８は、いわゆるタンクアンドチューブ型の熱交換器で構成されている。具体的には、流出側蒸発器１７は、冷媒を流通させる複数の流出側チューブ７１、および複数の流出側チューブ７１の両端部に接続されて流出側チューブ７１を流通する冷媒の集合あるいは分配を行う一対の流出側タンク７２、７３を有している。
【００５３】
流出側チューブ７１は、伝熱性に優れる金属（本実施形態では、エジェクタ１５のボデー部１５ｂと同じアルミニウム合金）で形成されている。さらに、流出側チューブ７１は、内部を流通する冷媒の流れ方向（すなわち、流出側チューブ７１の長手方向）に垂直な断面形状が扁平形状に形成された扁平チューブで構成されている。
【００５４】
それぞれの流出側チューブ７１は、外表面の平坦面（扁平面）同士が互いに平行となるように、一定の間隔を開けて積層配置されている。これにより、隣り合う流出側チューブ７１同士の間に、送風空気が流通する空気通路が形成される。つまり、流出側蒸発器１７では、複数の流出側チューブ７１が積層配置されることによって、冷媒と送風空気とを熱交換させる熱交換部（熱交換コア部）が形成されている。
【００５５】
さらに、隣り合う流出側チューブ７１同士の間に形成される空気通路には、冷媒と送風空気との熱交換を促進するフィン７４が配置されている。フィン７４は、流出側チューブ７１と同じ材質の薄板材を波状に曲げ成形することによって形成されたコルゲートフィンであり、その頂部が流出側チューブ７１の平坦面にろう付け接合されている。
【００５６】
流出側タンク７２、７３は、流出側チューブ７１と同じ材質の有底筒状部材で形成されている。流出側タンク７２、７３は、流出側チューブ７１の積層方向に延びる形状に形成されている。流出側タンク７２、７３の内部には、各流出側チューブ７１に対して冷媒を分配するための分配空間、および各流出側チューブ７１から流出した冷媒を集合させるための集合空間が形成されている。
【００５７】
以下の説明では、説明の明確化のため、流出側タンクのうち、鉛直方向上方側に配置されるものを上部流出側タンク７２と記載し、鉛直方向下方側に配置されるものを下部流出側タンク７３と記載する。
【００５８】
吸引側蒸発器１８の基本的構成は、流出側蒸発器１７と同等である。従って、吸引側蒸発器１８は、冷媒を流通させる複数の吸引側チューブ８１、フィン７４、複数の吸引側チューブ８１の両端部に接続されて吸引側チューブ８１を流通する冷媒の集合あるいは分配を行う一対の吸引側タンク８２、８３を有している。以下の説明では、吸引側タンクのうち、鉛直方向上方側に配置されるものを上部吸引側タンク８２と記載し、鉛直方向下方側に配置されるものを下部吸引側タンク８３と記載する。
【００５９】
ここで、本実施形態では、吸引側チューブ８１として、流出側チューブ７１と同じ扁平チューブが採用されている。本実施形態の蒸発器ユニット２０では、このような部品の共通化により、蒸発器ユニット２０全体としての製造コストの低減を図っている。
【００６０】
また、本実施形態の上部流出側タンク７２および上部吸引側タンク８２は、図３、図５〜図７に示すように、共通するプレートヘッダ９１およびタンクヘッダ９２を接合することによって、一体的に形成されている。
【００６１】
プレートヘッダ９１には、その表裏を貫通する複数のスリット穴が形成されている。このスリット穴は、プレートヘッダ９１の長手方向に２列に配置されている。そして、送風空気流れ上流側に配置された一方の列のスリット穴には流出側チューブ７１が接続され、送風空気流れ下流側に配置された他方の列のスリット穴には吸引側チューブ８１が接続されている。
【００６２】
このため、プレートヘッダ９１は、上部流出側タンク７２および上部吸引側タンク８２のチューブ側の部位（図３では、上部流出側タンク７２および上部吸引側タンク８２の下方側の部位）を形成している。
【００６３】
タンクヘッダ９２は、プレートヘッダ９１に組み合わされることによって、内部に分配空間および集合空間を形成するものである。さらに、タンクヘッダ９２は、上部流出側タンク７２および上部吸引側タンク８２のチューブから離れた側である反チューブ側の部位（図３では、上部流出側タンク７２および上部吸引側タンク８２の上方側の部位）を形成している。
【００６４】
下部流出側タンク７３および下部吸引側タンク８３も同様に、共通部材であるタンクヘッダおよびプレートヘッダによって形成されている。そして、流出側チューブ７１、吸引側チューブ８１、流出側タンク７２、７３、吸引側タンク８２、８３（具体的には、プレートヘッダ９１、タンクヘッダ９２）、フィン７４等をろう付け接合することによって、流出側蒸発器１７および吸引側蒸発器１８が一体化されている。
【００６５】
なお、図２では、図示および説明の明確化のため、流出側蒸発器１７の一部の構成（流出側チューブ７１および上部流出側タンク７２）については、吸引側蒸発器１８の対応する構成に括弧付きの符号を付して示している。
【００６６】
また、図２では、フィン７４を吸引側蒸発器１８の一部にのみ図示しているが、フィン７４は、流出側蒸発器１７においては隣り合う流出側チューブ７１間の略全域に渡って配置されている。さらに、吸引側蒸発器１８においては隣り合う吸引側チューブ８１間の略全域に渡って配置されている。
【００６７】
また、本実施形態では、図３、図５〜図７に示すように、タンクヘッダ９２とプレートヘッダ９１との間に図４に示す板状部材９３が配置されている。この板状部材９３は、上部流出側タンク７２および上部吸引側タンク８２の内部空間を、各チューブ７１、８１に近い側のチューブ側の空間（図３では、下方側の空間）および各チューブ７１、８１に遠い側の反チューブ側の空間（図３では、上方側の空間）に仕切るものである。
【００６８】
板状部材９３には、板状部材９３からチューブ側あるいは反チューブ側へ突出して、上部流出側タンク７２の内部空間および上部吸引側タンク８２の内部空間を区画するセパレータ８２１ａ〜８２１ｃ、７２１が設けられている。板状部材９３および各セパレータ８２１ａ〜８２１ｃ、７２１は、流出側チューブ７１と同じ材質で形成されている。
【００６９】
より具体的には、板状部材９３のうち、上部吸引側タンク８２の内部に位置付けられる部位には、図３に示すように、上部吸引側タンク８２の長手方向一端側から順に、反チューブ側に突出する第１セパレータ８２１ａ、チューブ側に突出する第２セパレータ８２１ｂ、チューブ側に突出する第３セパレータ８２１ｃがろう付けにて接合されている。
【００７０】
さらに、図４に示すように、板状部材９３のうち、上部吸引側タンク８２の内部に位置付けられる部位であって、第１セパレータ８２１ａよりも一端側の部位には、板状部材９３の表裏を貫通する複数の第１吸引側連通穴９３ａが形成されている。また、第３セパレータ８２１ｃよりも他端側の部位には、板状部材９３の表裏を貫通する複数の第２吸引側連通穴９３ｂが形成されている。
【００７１】
このため、上部吸引側タンク８２の内部空間は、図２、図３に示すように、実質的に、上部吸引側の一端側空間８２ａ、チューブ側空間８２ｂ、反チューブ側空間８２ｃ、上部吸引側の他端側空間８２ｄの４つの空間に区画されている。なお、反チューブ側空間８２ｃおよび上部吸引側の他端側空間８２ｄは、直接に連通している。
【００７２】
また、板状部材９３のうち、上部流出側タンク７２の内部に位置付けられる部位には、図３に示すように、上部流出側タンク７２の略中央部に、チューブ側および反チューブ側の双方へ突出する流出側セパレータ７２１が設けられている。
【００７３】
さらに、図４に示すように、板状部材９３のうち、上部流出側タンク７２の内部に位置付けられる部位であって、流出側セパレータ７２１よりも一端側の部位には、板状部材９３の表裏を貫通する複数の第１流出側連通穴９３ｃが形成されている。また、流出側セパレータ７２１よりも他端側の部位には、板状部材９３の表裏を貫通する複数の第２流出側連通穴９３ｄが形成されている。
【００７４】
このため、上部流出側タンク７２の内部空間は、実質的に、流出側集合空間７２ａおよび流出側分配空間７２ｂに区画されている。
【００７５】
次に、板状部材９３に形成された複数の各連通穴９３ａ〜９３ｄについて説明する。図４に示すように、各連通穴９３ａ〜９３ｄは、それぞれ開口面積が同等の円形状に形成されている。
【００７６】
第１吸引側連通穴９３ａは２つ形成されている。第２吸引側連通穴９３ｂは６つ形成されており、それぞれの第２吸引側連通穴９３ｂは、互いに上部吸引側タンク８２の長手方向に等間隔に配置されている。なお、等間隔に配置されているとは、隣り合う第１流出側連通穴９３ｃの中心点同士の距離が一定となっていることを意味している。
【００７７】
第１流出側連通穴９３ｃは１１つ形成されており、それぞれの第１流出側連通穴９３ｃは、互いに上部流出側タンク７２の長手方向に等間隔に配置されている。これに対して、第２流出側連通穴９３ｄは７つ形成されており、それぞれの第２流出側連通穴９３ｄは、互い上部流出側タンク７２の長手方向に不等間隔で配置されている。
【００７８】
より詳細には、図４に示すように、板状部材９３のうち流出側分配空間７２ｂを上下に仕切る部位を長手方向に５等分して、エジェクタ１５のディフューザ部１５ｄの冷媒出口に近い側から順に、第１領域ＥＦ１、第２領域ＥＦ２、第３領域ＥＦ３、第４領域ＥＦ４、第５領域ＥＦ５と定義する。
【００７９】
本実施形態の第２流出側連通穴９３ｄは、第１領域ＥＦ１、第２領域ＥＦ２、第３領域ＥＦ３における開口面積が、それぞれ第２領域ＥＦ２における開口面積、および第４領域ＥＦ４における開口面積の双方よりも大きく形成されるように配置されている。
【００８０】
このような配置は、本実施形態のように、７つの第２流出側連通穴９３ｄを形成する場合には、上部流出側タンク７２の長手方向に等間隔に１１つの第２流出側連通穴９３ｄを配置し、エジェクタ１５のディフューザ部１５ｄの冷媒出口に近い側から３つ目、４つ目、８つ目、９つ目の第２流出側連通穴９３ｄを閉塞すること等によって実現することができる。
【００８１】
さらに、本実施形態では、図４に示すように、第３領域ＥＦ３における開口面積が、他の領域（すなわち、第１領域ＥＦ１、第２領域ＥＦ２、第３領域ＥＦ３、第４領域ＥＦ４）における開口面積よりも大きく形成されている。
【００８２】
また、本実施形態では、図４に示すように、隣り合う第２流出側連通穴９３ｄの中心点同士の距離（すなわち、間隔）の最大値ＨＬが、予め定めた基準本数（本実施形態では、４本）の流出側チューブ７１が積層配置された際の積層距離以下となっている。ここで、積層距離とは、基準本数の流出側チューブ７１が積層配置された際に、積層方向両端部に配置された流出側チューブ７１の対応する部位同士の距離を意味している。
【００８３】
以上の説明から明らかなように、本実施形態の板状部材９３のうち流出側分配空間７２ｂを上下に仕切る部位は、仕切板である。さらに、第２流出側連通穴９３ｄは、連通穴である。
【００８４】
次に、エジェクタ１５は、図２、図３に示すように、上部流出側タンク７２および上部吸引側タンク８２の長手方向に延びる有底筒状部材で形成されたエジェクタタンク２３の内部に収容されている。エジェクタタンク２３は、上部流出側タンク７２および上部吸引側タンク８２と同じ材質で形成された断面半円弧状の２つの金属製の分割部材を組み合わせることによって筒状に形成されている。
【００８５】
エジェクタタンク２３は、長手方向から見たときに、図５〜図７に示すように、上部流出側タンク７２および上部吸引側タンク８２の間の谷部に配置されている。そして、エジェクタタンク２３の外周側面が、上部流出側タンク７２の外周側面および上部吸引側タンク８２の外周側面にろう付け接合されることによって、エジェクタ１５およびエジェクタタンク２３が、流出側蒸発器１７および吸引側蒸発器１８に一体化されている。
【００８６】
また、エジェクタタンク２３が、流出側蒸発器１７および吸引側蒸発器１８にろう付け接合される際に、エジェクタ１５の外周壁面がエジェクタタンク２３の内周壁面にろう付け接合される。これにより、エジェクタタンク２３の内部空間は、図２、図３に示すように、エジェクタ入口側空間２３ａ、エジェクタ吸引側空間２３ｂ、エジェクタ流出側空間２３ｃの３つの空間に区画されている。
【００８７】
エジェクタ入口側空間２３ａは、ノズル部１５ａの冷媒流れ上流側に配置された空間であって、エジェクタ１５のノズル部１５ａに対して、エジェクタタンク２３の長手方向一端側に形成されている。また、エジェクタ入口側空間２３ａは、ジョイント部２４に設けられた冷媒流入口２４ａに連通している。
【００８８】
エジェクタ流出側空間２３ｃは、ディフューザ部１５ｄから流出した冷媒を流入させる空間である。エジェクタ流出側空間２３ｃは、エジェクタタンク２３の長手方向他端側、すなわちディフューザ部１５ｄの冷媒流れ下流側に配置されている。
【００８９】
エジェクタ吸引側空間２３ｂは、冷媒吸引口１５ｃへ吸引される冷媒を流入させる空間である。エジェクタ吸引側空間２３ｂは、エジェクタタンク２３の長手方向中央部のエジェクタ１５の外周側に配置されている。
【００９０】
従って、エジェクタ吸引側空間２３ｂは、エジェクタタンク２３の長手方向両端側からエジェクタ入口側空間２３ａおよびエジェクタ流出側空間２３ｃに挟まれるように配置されている。さらに、エジェクタ１５の冷媒吸引口１５ｃは、エジェクタ吸引側空間２３ｂ内で開口している。
【００９１】
また、エジェクタタンク２３、上部流出側タンク７２、および上部吸引側タンク８２内に区画された各空間は、エジェクタタンク２３、上部流出側タンク７２、および上部吸引側タンク８２の接合部に形成された各冷媒連通路等を介して、互いに連通している。
【００９２】
具体的には、図５に示すように、エジェクタタンク２３内の長手方向一端側に形成されるエジェクタ入口側空間２３ａ、および上部吸引側タンク８２内の長手方向一端側に形成される上部吸引側の一端側空間８２ａは、互いに連通している。
【００９３】
この際、本実施形態では、エジェクタタンク２３のうちエジェクタ入口側空間２３ａを形成する部位に設けられた連通路の開口縁部にバーリング加工を施すことによって、上部吸引側タンク８２へ向かって突出するバーリング部（換言すると、突出部）を形成している。そして、このバーリング部を、上部吸引側タンク８２のうち一端側空間８２ａを形成する部位に設けられた連通穴に嵌め込んだ状態で、ろう付け接合を行っている。
【００９４】
さらに、エジェクタ１５のうち、エジェクタ入口側空間２３ａを形成する部位であって、上部吸引側タンク８２の一端側空間８２ａに連通する部位には、オリフィスとして機能する固定絞り１９が配置されている。
【００９５】
ここで、本実施形態のエジェクタ式冷凍サイクル１０のように、分岐部１４にて冷媒の流れを分岐するサイクルでは、分岐部１４にて分岐される冷媒の流量比Ｇｅ／Ｇｎｏｚを適切な値に調整することによって、サイクルに高い成績係数（ＣＯＰ）を発揮させることができる。
【００９６】
そこで、本実施形態では、ＣＯＰが極大値に近づくように、ノズル部１５ａおよび固定絞り１９の流量特性を決定している。なお、Ｇｎｏｚは、分岐部１４からエジェクタ１５のノズル部１５ａ側へ流入させる冷媒流量であり、Ｇｅは、分岐部から固定絞り１９側へ流入させる冷媒流量である。
【００９７】
また、図６に示すように、エジェクタタンク２３内の長手方向中央部に形成されるエジェクタ吸引側空間２３ｂ、および上部吸引側タンク８２内の長手方向中央部に形成される反チューブ側空間８２ｃは、吸引側連通路８２ｆを介して、互いに連通している。従って、反チューブ側空間８２ｃは、エジェクタ吸引側空間２３ｂを介して、エジェクタ１５の冷媒吸引口１５ｃに連通している。
【００９８】
また、図７に示すように、エジェクタタンク２３内の長手方向他端側に形成されるエジェクタ流出側空間２３ｃ、および上部流出側タンク７２内の長手方向他端側に形成される流出側分配空間７２ｂは、互いに連通している。
【００９９】
より具体的には、流出側分配空間７２ｂは、板状部材９３によって、上下方向に２つの空間に仕切られている。ここで、板状部材９３に仕切られた反チューブ側の空間をエジェクタ側分配空間７２１ｂと定義し、チューブ側の空間をチューブ側分配空間７２２ｂと定義すると、エジェクタ流出側空間２３ｃは、エジェクタ側分配空間７２１ｂに連通している。
【０１００】
エジェクタ流出側空間２３ｃと流出側分配空間７２ｂ（すなわち、エジェクタ側分配空間７２１ｂ）とを連通させる冷媒連通路７２ｃは、図２、図３に示すように、複数（本実施形態では、５つ）設けられており、エジェクタタンク２３および上部流出側タンク７２の長手方向に並んで配置されている。
【０１０１】
本実施形態では、それぞれの冷媒連通路７２ｃの通路面積を略同等に設定している。さらに、前述した第２流出側連通穴９３ｄの合計開口面積は、複数の冷媒連通路７２ｃの合計開口面積以上に設定されている。
【０１０２】
また、図２に示すように、下部吸引側タンク８３の内部の長手方向略中央部には、下部吸引側セパレータ８３１が配置されている。これにより、下部吸引側タンク８３の内部空間は、下部吸引側の一端側空間８３ａ、下部吸引側の他端側空間８３ｂの２つの空間に区画されている。
【０１０３】
次に、ジョイント部２４について説明する。ジョイント部２４は、温度式膨張弁１３の出口側に接続される冷媒流入口２４ａ、および圧縮機１１の吸入口側に接続される冷媒流出口２４ｂが設けられた接続用部材である。ジョイント部２４は、流出側蒸発器１７および吸引側蒸発器１８と同じ材質で形成されており、エジェクタタンク２３、上部流出側タンク７２および上部吸引側タンク８２の一端側の側面にろう付け接合されている。
【０１０４】
また、このジョイント部２４は、図８の分解斜視図に示すように、冷媒流入口２４ａおよび冷媒流出口２４ｂが形成されたブロック部材２４１と、複数枚のプレート部材（本実施形態では、第１〜第４プレート部材２４２、２４３、２４４、２４５の４枚のプレート部材）とを積層することによって構成されている。
【０１０５】
第１〜第４プレート部材２４２〜２４５には、各プレート部材２４２〜２４５を積層した際に、冷媒流入口２４ａから流入した冷媒をエジェクタタンク２３のエジェクタ入口側空間２３ａ側へ導く冷媒通路を形成する第１〜第４流入通路穴２４２ａ、２４３ａ、２４４ａ、２４５ａが形成されている。
【０１０６】
さらに、第１〜第４プレート部材２４２〜２４５には、各プレート部材２４２〜２４５を積層した際に、上部流出側タンク７２の流出側集合空間７２ａから流出した冷媒を、冷媒流出口２４ｂへ導く冷媒通路を形成する第１〜第４流出通路穴２４２ｂ、２４３ｂ、２４４ｂ、２４５ｂが形成されている。
【０１０７】
複数枚のプレート部材２４２〜２４５のうち、ブロック部材２４１からエジェクタタンク２３側へ向かって２枚目に配置される第２プレート２４３の第２流入通路穴２４３ａは、図９の拡大平面図に示すように、円弧状穴２４３ｃおよび円形状穴２４３ｄによって形成されている。この円弧状穴２４３ｃの冷媒流れ最下流部は、円形状穴２４３ｄの外周部の接線方向に延びる形状に形成されている。
【０１０８】
これにより、第１プレート２４２の第１流入通路穴２４２ａを介して、第２プレート２４３の第２流入通路穴２４３ａへ流入した冷媒は、図９の実線矢印に示すように、円弧状穴２４３ｃに沿って流れて円形状穴２４３ｄへ流入する。さらに、円形状穴２４３ｄへ流入した冷媒は、円形状穴２４３ｄの外周側壁面に沿って旋回しながら、第３、第４プレート２４４、２４５の第３、第４流入通路穴２４４ａ、２４５ａへ流入する。
【０１０９】
第３、第４プレート２４４、２４５の第３、第４流入通路穴２４４ａ、２４５ａへ流入した冷媒は、旋回流れの遠心力の作用によって、遠心分離方式の気液分離手段と同様に、旋回中心側に気相冷媒が偏在し、外周側に液相冷媒が偏在した二相分離状態となる。そして、二相分離状態となった冷媒が、エジェクタタンク２３のエジェクタ入口側空間２３ａへ流入する。
【０１１０】
次に、以上の如く一体化された蒸発器ユニット２０内に形成される冷媒流路を、図１０の説明図を用いて説明する。ジョイント部２４の冷媒流入口２４ａから流入した冷媒は、図１０の矢印Ｒ１に示すように、エジェクタタンク２３のエジェクタ入口側空間２３ａへ流入する。
【０１１１】
エジェクタ入口側空間２３ａへ流入した冷媒は、矢印Ｒ２に示すようにエジェクタ１５のノズル部１５ａへ流入する冷媒流れ、および矢印Ｒ１２に示すように固定絞り１９を介して上部吸引側タンク８２の一端側空間８２ａへ流入する冷媒流れに分流される。つまり、本実施形態の分岐部１４は、エジェクタ入口側空間２３ａの内部に形成されている。
【０１１２】
この際、本実施形態では、エジェクタ入口側空間２３ａへ流入した冷媒が旋回しているので、エジェクタ入口側空間２３ａの外周側に偏在する液相冷媒を固定絞り１９側へ優先的に流出させることができる。さらに、残余の気液二相冷媒をエジェクタ１５のノズル部１５ａ側へ優先的に流入させることができる。
【０１１３】
このため、本実施形態では、ジョイント部２４の第２〜第４流入通路穴２４３ａ、２４４ａ、２４５ａによって形成される冷媒通路が、分岐部１４を形成するエジェクタ入口側空間２３ａ内の冷媒に旋回流れを生じさせる旋回流発生手段を構成している。
【０１１４】
エジェクタ１５のノズル部１５ａへ流入した冷媒は、冷媒吸引口１５ｃから吸引された吸引冷媒と合流して、ディフューザ部１５ｄから流出する。ディフューザ部１５ｄから流出した冷媒は、矢印Ｒ３に示すように、エジェクタタンク２３のエジェクタ流出側空間２３ｃへ流入する。
【０１１５】
エジェクタ流出側空間２３ｃへ流入した冷媒は、破線矢印Ｒ４に示すように、前述した冷媒連通路７２ｃを介して、流出側分配空間７２ｂのエジェクタ側分配空間７２１ｂへ流入する。さらに、エジェクタ側分配空間７２１ｂへ流入した冷媒は、板状部材９３の第２流出側連通穴９３ｄを介して、チューブ側分配空間７２２ｂへ流入する。
【０１１６】
この際、エジェクタ側分配空間７２１ｂ側からチューブ側分配空間７２２ｂ側へ流れる冷媒は、板状部材９３に形成された第２流出側連通穴９３ｄを介して、第１領域ＥＦ１（流出側分配空間７２ｂのエジェクタ１５に近い領域）側、第３領域ＥＦ３（流出側分配空間７２ｂの長手方向中央部）側、第５領域ＥＦ５（流出側分配空間７２ｂのエジェクタ１５から離れた領域）側に分配されやすい。
【０１１７】
特に、第２流出側連通穴９３ｄの開口面積が最も大きい第３領域ＥＦ３（流出側分配空間７２ｂの長手方向中央部）側に分配されやすい。
【０１１８】
チューブ側分配空間７２２ｂへ流入した冷媒は、破線矢印Ｒ５に示すように、流出側分配空間７２ｂに接続された流出側チューブ７１群を上方側から下方側へ通過して、下部流出側タンク７３へ流入する。下部流出側タンク７３へ流入した冷媒は、下部流出側タンク７３の長手方向他端側から一端側へ移動し、流出側集合空間７２ａに接続された流出側チューブ７１群へ流入する。
【０１１９】
流出側集合空間７２ａに接続された流出側チューブ７１群へ流入した冷媒は、破線矢印Ｒ６に示すように、当該流出側チューブ７１群を下方側から上方側へ通過して、上部流出側タンク７２の流出側集合空間７２ａへ流入する。流出側集合空間７２ａへ流入した冷媒は、板状部材９３に第１流出側連通穴９３ｃが形成されていることにより、破線矢印Ｒ７に示すように、ジョイント部２４の冷媒流出口２４ｂから流出する。
【０１２０】
この際、本実施形態では、温度式膨張弁１３の作用によって蒸発器ユニット２０出口側冷媒の過熱度が基準過熱度に近づくように調整されるので、流出側集合空間７２ａ内の冷媒も、過熱度を有する気相冷媒となる。従って、流出側蒸発器１７には、図１０の斜線ハッチングで示すように、過熱度を有する気相冷媒が流通する風上側過熱度領域ＳＨ１が形成される。
【０１２１】
また、エジェクタ入口側空間２３ａから固定絞り１９を介して上部吸引側の一端側空間８２ａへ流入した冷媒は、板状部材９３に第１吸引側連通穴９３ａが形成されていることにより、一端側空間８２ａに接続された吸引側チューブ８１群へ流入する。そして、矢印Ｒ１３→矢印Ｒ１４→矢印Ｒ１５→矢印Ｒ１６の順にＷ字状に３回方向転換して、上部吸引側の他端側空間８２ｄへ流入する。
【０１２２】
より具体的には、上部吸引側の一端側空間８２ａへ流入した冷媒は、上部吸引側の一端側空間８２ａ→吸引側チューブ８１群（矢印Ｒ１３）→下部吸引側の一端側空間８３ａ→別の吸引側チューブ８１群（矢印Ｒ１４）→チューブ側空間８２ｂ→さらに別の吸引側チューブ８１群（矢印Ｒ１５）→下部吸引側の他端側空間８３ｂ→さらに別の吸引側チューブ８１群（矢印Ｒ１６）→上部吸引側の他端側空間８２ｄの順に流れる。
【０１２３】
上部吸引側の他端側空間８２ｄへ流入した冷媒は、板状部材９３に第２吸引側連通穴９３ｂが形成されていることにより、矢印Ｒ１７に示すように、反チューブ側空間８２ｃを介して、エジェクタ１５の冷媒吸引口１５ｃ側へ導かれる。
【０１２４】
この際、本実施形態では、冷媒吸引口１５ｃから吸引される冷媒が過熱度を有する気相冷媒となる。従って、吸引側蒸発器１８には、図１０の網掛ハッチングで示すように、過熱度を有する気相冷媒が流通する風下側過熱度領域ＳＨ２が形成される。このため、送風空気の流れ方向から見たときに、風上側過熱度領域ＳＨ１および風下側過熱度領域ＳＨ２は、重合しないように互いにずれて配置されている。
【０１２５】
次に、本実施形態のエジェクタ式冷凍サイクル１０の電気制御部について説明する。図示しない空調制御装置は、ＣＰＵ、ＲＯＭ、ＲＡＭ等を含む周知のマイクロコンピュータとその周辺回路から構成され、そのＲＯＭ内に記憶された制御プログラムに基づいて各種演算、処理を行い、出力側に接続された各種制御対象機器１１、１２ｃ、２０ａ等の作動を制御する。
【０１２６】
また、空調制御装置には、車室内温度を検出する内気温センサ、外気温を検出する外気温センサ、車室内の日射量を検出する日射センサ、蒸発器ユニット２０から吹き出される吹出空気温度（蒸発器温度）を検出する蒸発器温度センサ等のセンサ群が接続され、これらの空調用センサ群の検出値が入力される。
【０１２７】
さらに、空調制御装置の入力側には、図示しない操作パネルが接続され、この操作パネルに設けられた各種操作スイッチからの操作信号が空調制御装置へ入力される。操作パネルに設けられた各種操作スイッチとしては、空調を行うことを要求する空調作動スイッチ、車室内温度を設定する車室内温度設定スイッチ等が設けられている。
【０１２８】
なお、本実施形態の空調制御装置は、その出力側に接続された各種の制御対象機器の作動を制御する制御手段が一体に構成されたものであるが、空調制御装置のうち、各制御対象機器の作動を制御する構成（ハードウェアおよびソフトウェア）が各制御対象機器の制御手段を構成している。例えば、本実施形態では、圧縮機１１の作動を制御する構成が、吐出能力制御手段を構成している。
【０１２９】
次に、上記構成における本実施形態のエジェクタ式冷凍サイクル１０の作動について説明する。操作パネルの空調作動スイッチが投入（ＯＮ）されると、空調制御装置が、圧縮機１１、冷却ファン１２ｃ、送風ファン２０ａ等を作動させる。
【０１３０】
これにより、圧縮機１１が冷媒を吸入し、圧縮して吐出する。圧縮機１１から吐出された高温高圧冷媒は、放熱器１２へ流入する。放熱器１２へ流入した冷媒は、凝縮部１２ａにて冷却ファン１２ｃから送風された外気と熱交換して凝縮する。凝縮部１２ａにて冷却された冷媒は、レシーバ部１２ｂにて気液分離される。
【０１３１】
レシーバ部１２ｂにて分離された液相冷媒は、温度式膨張弁１３へ流入して減圧される。この際、温度式膨張弁１３の弁開度は、蒸発器ユニット２０出口側冷媒の過熱度が基準過熱度に近づくように調整される。温度式膨張弁１３にて減圧された冷媒は、蒸発器ユニット２０の冷媒流入口２４ａへ流入する。
【０１３２】
蒸発器ユニット２０へ流入した冷媒の流れは、エジェクタタンク２３のエジェクタ入口側空間２３ａ内に形成される分岐部１４にて分岐される。分岐された一方の冷媒は、エジェクタ１５のノズル部１５ａへ流入して等エントロピ的に減圧されて噴射される。そして、この噴射冷媒の吸引作用によって、吸引側蒸発器１８から流出した冷媒が、エジェクタ１５の冷媒吸引口１５ｃから吸引される。
【０１３３】
ノズル部１５ａから噴射された噴射冷媒および冷媒吸引口１５ｃから吸引された吸引冷媒は、エジェクタ１５のディフューザ部１５ｄへ流入する。ディフューザ部１５ｄでは、冷媒通路面積の拡大により、冷媒の速度エネルギが圧力エネルギに変換される。これにより、噴射冷媒と吸引冷媒との混合冷媒の圧力が上昇する。
【０１３４】
ディフューザ部１５ｄから流出した冷媒は、流出側蒸発器１７へ流入する。流出側蒸発器１７へ流入した冷媒は、送風ファン２０ａによって送風された送風空気から吸熱して蒸発する。これにより、送風ファン２０ａによって送風された送風空気が冷却される。流出側蒸発器１７から流出した冷媒は、蒸発器ユニット２０の冷媒流出口２４ｂを介して、圧縮機１１へ吸入されて再び圧縮される。
【０１３５】
一方、分岐部１４にて分岐された他方の冷媒は、固定絞り１９へ流入して等エンタルピ的に減圧され、吸引側蒸発器１８へ流入する。吸引側蒸発器１８へ流入した冷媒は、流出側蒸発器１７通過後の送風空気から吸熱して蒸発する。これにより流出側蒸発器１７通過後の送風空気がさらに冷却される。吸引側蒸発器１８から流出した冷媒は、エジェクタ１５の冷媒吸引口１５ｃから吸引される。
【０１３６】
以上の如く、本実施形態のエジェクタ式冷凍サイクル１０によれば、蒸発器ユニット２０にて、車室内へ送風される送風空気を冷却することができる。
【０１３７】
さらに、本実施形態のエジェクタ式冷凍サイクル１０では、流出側蒸発器１７下流側の冷媒を冷媒流出口２４ｂから流出させるので、圧縮機１１にエジェクタ１５のディフューザ部１５ｄにて昇圧された冷媒を吸入させることができる。
【０１３８】
従って、エジェクタ式冷凍サイクル１０では、蒸発器における冷媒蒸発圧力と吸入冷媒の圧力が同等となる通常の冷凍サイクル装置よりも、圧縮機１１の消費動力を低減させて、サイクルの成績係数（ＣＯＰ）の向上させることができる。
【０１３９】
また、本実施形態の蒸発器ユニット２０では、流出側蒸発器１７における冷媒蒸発圧力をディフューザ部１５ｄにて昇圧された冷媒圧力とし、エジェクタ１５の冷媒吸引口１５ｃに接続される吸引側蒸発器１８における冷媒蒸発圧力をノズル部１５ａにて減圧された直後の低い冷媒圧力とすることができる。
【０１４０】
従って、風流れ方向から見たときに、各蒸発器における冷媒蒸発温度と送風空気との温度差を確保して、送風空気を効率的に冷却することができる。
【０１４１】
この際、本実施形態の蒸発器ユニット２０では、送風空気の流れ方向から見たときに、風上側過熱度領域ＳＨ１および風下側過熱度領域ＳＨ２が、重合しないように互いにずれて配置されている。従って、蒸発器ユニット２０にて冷却された送風空気の温度分布の抑制を狙うことができる。
【０１４２】
ところが、本実施形態の蒸発器ユニット２０のように、エジェクタ流出側空間２３ｃと流出側分配空間７２ｂとを連通させる冷媒連通路７２ｃが、エジェクタタンク２３および上部流出側タンク７２の長手方向に並んで複数箇所に設けられている構成では、複数の冷媒連通路７２ｃへ均等に流入させることが難しい。従って、蒸発器ユニット２０にて冷却された送風空気の温度分布を抑制することができなくなってしまう。
【０１４３】
その理由は、エジェクタ１５から流出した冷媒は、エジェクタ流出側空間２３ｃ内の一部の領域に偏在しやすいからである。
【０１４４】
例えば、エジェクタ式冷凍サイクル１０の熱負荷が比較的低く、循環冷媒流量が比較的少なく、エジェクタ１５から流出した冷媒の慣性力が所定の値となる運転条件では、筒状のエジェクタタンク２３の底面側の部位が樋（とい）のように機能して、エジェクタ１５から流出した冷媒がエジェクタ１５から離れた側へ導かれる。その結果、ディフューザ部１５ｄから流出した冷媒は、エジェクタ流出側空間２３ｃのエジェクタ１５から離れた側（すなわち、長手方向他端側）に偏在しやすくなる。
【０１４５】
また、冬場等のようにエジェクタ式冷凍サイクル１０の熱負荷が極めて低く、循環冷媒流量が極低流量となり、エジェクタ１５から流出した冷媒の流速も極めて低くなる運転条件では、冷媒がエジェクタ１５から離れた側へ到達しない。その結果、ディフューザ部１５ｄから流出した冷媒は、エジェクタ流出側空間２３ｃのエジェクタ１５に近い側（すなわち、長手方向一端側）に冷媒が偏在しやすくなる。
【０１４６】
さらに、エジェクタ流出側空間２３ｃ内の一部の領域に偏在する冷媒は、近接配置された冷媒連通路７２ｃを介して、流出側分配空間７２ｂへ流入する。このため、流出側分配空間７２ｂ内の冷媒にも分布が生じ、流出側分配空間７２ｂから各流出側チューブ７１へ均等な流量の冷媒を流入させることができなくなってしまう。そのため、流出側蒸発器１７にて冷却された送風空気の温度分布を抑制することができなくなってしまう。
【０１４７】
その結果、送風空気の流れ方向から見たときに、風上側過熱度領域ＳＨ１および風下側過熱度領域ＳＨ２をずらして配置しても、蒸発器ユニット２０全体として、冷却された送風空気の温度分布を充分に抑制できなくなってしまうおそれがある。
【０１４８】
これに対して、本実施形態の蒸発器ユニット２０では、仕切板として機能する板状部材９３を有しているので、流出側分配空間７２ｂをエジェクタ側分配空間７２１ｂおよびチューブ側分配空間７２２ｂに仕切ることができる。これにより、エジェクタタンク２３のエジェクタ流出側空間２３ｃ内の冷媒を、一旦、エジェクタ側分配空間７２１ｂへ流入させることができる。
【０１４９】
従って、エジェクタ流出側空間２３ｃ内の冷媒が一部の領域に偏在していても、偏在した冷媒が、近接配置された流出側チューブ７１へ直接流入してしまうことを抑制することができる。
【０１５０】
さらに、板状部材９３に形成された第２流出側連通穴９３ｄのうち、エジェクタ１５に近い第１領域ＥＦ１における開口面積、エジェクタ流出側空間２３ｃの長手方向中央部に位置付けられる第３領域ＥＦ３における開口面積、およびエジェクタ１５から離れた第５領域ＥＦ５における開口面積が、いずれも第２領域ＥＦ２における開口面積、および第４領域ＥＦ４における開口面積よりも大きく形成されている。
【０１５１】
これにより、エジェクタ流出側空間２３ｃ内の冷媒がいずれの領域に偏在していても、第２流出側連通穴９３ｄのうち開口面積の大きな部位を介して、エジェクタ流出側空間２３ｃ内の冷媒をチューブ側分配空間７２２ｂ内の全域に流出させやすい。従って、チューブ側分配空間７２２ｂから複数の流出側チューブ７１へ略均等な流量の冷媒を流入させやすい。
【０１５２】
その結果、本実施形態の蒸発器ユニット２０によれば、冷却された送風空気に生じる温度分布を抑制することができる。
【０１５３】
ここで、図１１、図１２を用いて、本実施形態の蒸発器ユニット２０による温度分布抑制効果を、より具体的に説明する。まず、図１１は、前述の図４に対応する図面であって、第２流出側連通穴９３ｄを、他の連通穴（第２吸引側連通穴９３ｂ、第１流出側連通穴９３ｃ等）と同様に、長手方向に等間隔に配置した場合の仮想的な第２流出側連通穴９３ｄ−１〜９３ｄ−４の位置を破線で示したものである。
【０１５４】
なお、図１１では、仮想的な第２流出側連通穴は、エジェクタタンク２３の冷媒流れ下流側の端部（すなわち、長手方向他端側の端部）に近い順に、それぞれ９３ｄ−１、９３ｄ−２、９３ｄ−３、９３ｄ−４の符号で示している。そして、以下の条件で、仮想的な第２流出側連通穴９３ｄ−１〜９３ｄ−４を開口あるいは閉塞させる。
条件１：第２流出側連通穴９３ｄ−１〜９３ｄ−４を開口させる（第２流出側連通穴９３ｄの数＝１１個）。
条件２：第２流出側連通穴９３ｄ−１を閉塞し、第２流出側連通穴９３ｄ−２〜９３ｄ−４を開口させる（第２流出側連通穴９３ｄの数＝１０個）。
条件３：第２流出側連通穴９３ｄ−１、９３ｄ−２を閉塞し、第２流出側連通穴９３ｄ−３、９３ｄ−４を開口させる（第２流出側連通穴９３ｄの数＝９個）。
条件４：第２流出側連通穴９３ｄ−１〜９３ｄ−３を閉塞し、第２流出側連通穴９３ｄ−４を開口させる（第２流出側連通穴９３ｄの数＝８個）。
条件５：第２流出側連通穴９３ｄ−１〜９３ｄ−４を閉塞する（第２流出側連通穴９３ｄの数＝７個）。
【０１５５】
従って、条件１〜条件５の順で、第２流出側連通穴９３ｄの開口数が減少して、第２流出側連通穴９３ｄの合計開口面積も減少する。さらに、条件１は、従来技術の蒸発器ユニットに対応する条件であり、条件５は、本実施形態の蒸発器ユニット２０に相当する条件である。
【０１５６】
次に、図１２では、条件１〜条件５における蒸発器ユニット２０から吹き出される送風空気の最高温度から最低温度を減算した温度差ΔＴを示している。
【０１５７】
図１２から明らかなように、第２流出側連通穴９３ｄの開口数、すなわち第２流出側連通穴９３ｄの合計開口面積が減少すると、温度差ΔＴを縮小させることができる。つまり、本実施形態の板状部材９３によれば、温度差ΔＴが目標値以下となるように合計開口面積を縮小させることができる。これにより、蒸発器ユニット２０にて冷却された送風空気に温度分布が生じてしまうこと効果的に抑制することができる。
【０１５８】
また、本実施形態の蒸発器ユニット２０では、複数の第２流出側連通穴９３ｄを、エジェクタタンク２３および上部流出側タンク７２の長手方向に互いに不等間隔で配置し、第１領域ＥＦ１、第３領域ＥＦ３、第５領域ＥＦ５に第２流出側連通穴９３ｄを形成することによって、合計開口面積を調整している。
【０１５９】
このような第２流出側連通穴９３ｄの配置は、前述の図１１および条件１〜条件５で説明したように、等間隔で配置される第２流出側連通穴９３ｄの一部を閉塞することで容易に実現することができる。換言すると、複数の第２流出側連通穴９３ｄを穴開け加工する際に、等間隔に配置される第２流出側連通穴９３ｄの一部を間引きして加工することによって、容易に実現することができる。
【０１６０】
また、本実施形態の蒸発器ユニット２０では、第２流出側連通穴９３ｄの第３領域ＥＦ３における開口面積が、他の領域における開口面積よりも大きく形成されている。これによれば、エジェクタ流出側空間２３ｃ内の冷媒がいずれの領域に偏在していても、チューブ側分配空間７２２ｂ内の長手方向中央部へ流入させやすい。そして、チューブ側分配空間７２２ｂ内では、中央部から両端側へ冷媒を流すことができるので、チューブ側分配空間７２２ｂ内の全域に冷媒を良好に分配することができる。
【０１６１】
また、本実施形態の蒸発器ユニット２０では、第２流出側連通穴９３ｄの合計開口面積が、エジェクタ流出側空間２３ｃと流出側分配空間７２ｂとを連通させる冷媒連通路７２ｃの合計通路面積以上に設定されている。従って、一部の第２流出側連通穴９３ｄを間引きしても、冷媒が蒸発器ユニット２０内を流通する際に生じる圧力損失を不必要に増加させてしまうことがない。
【０１６２】
また、本実施形態の蒸発器ユニット２０では、隣り合う第２流出側連通穴９３ｄの中心点同士の間隔の最大値ＨＬが、予め定めた基準本数（本実施形態では、４本）の流出側チューブ７１が積層配置された際の積層距離以下となっている。従って、隣り合う第２流出側連通穴９３ｄが離れ過ぎて、一部の流出側チューブに冷媒が供給されなくなってしまうこと抑制することができる。
【０１６３】
また、本実施形態の蒸発器ユニット２０では、流出側蒸発器１７および吸引側蒸発器１８をタンクアンドチューブ型の熱交換器で構成し、上部流出側タンク７２および上部吸引側タンク８２を、共通するプレートヘッダ９１およびタンクヘッダ９２によって、形成している。さらに、板状部材９３を、プレートヘッダ９１とタンクヘッダ９２とに挟み混むことによって、流出側分配空間７２ｂ内に固定している。
【０１６４】
これによれば、板状部材９３を流出側分配空間７２ｂ内に容易に固定することができ、流出側分配空間７２ｂを板状部材９３によってエジェクタ側分配空間７２１ｂとチューブ側分配空間７２２ｂとに容易に仕切ることができる。
【０１６５】
（第２実施形態）
本実施形態では、第１実施形態に対して、図１３に示すように、複数の第２流出側連通穴９３ｄを板状部材９３の長手方向に間隔を開けて配置するとともに、それぞれの第２流出側連通穴９３ｄの開口面積を変化させている。
【０１６６】
より詳細には、本実施形態では、第１領域ＥＦ１に配置された第２流出側連通穴９３ｄの開口面積、第３領域ＥＦ３に配置された第２流出側連通穴９３ｄの開口面積、および第５領域ＥＦ５に配置された第２流出側連通穴９３ｄの開口面積が、いずれも第２領域ＥＦ２に配置された第２流出側連通穴９３ｄの開口面積、および第４領域ＥＦ４に配置された第２流出側連通穴９３ｄの開口面積よりも大きく形成されている。
【０１６７】
なお、図１３は、第１実施形態で説明した図４に対応する図面であって、第１実施形態と同一もしくは均等部分には同一の符号を付している。このことは、以下の図面においても同様である。
【０１６８】
その他の蒸発器ユニット２０およびエジェクタ式冷凍サイクル１０の構成および作動は、第１実施形態と同様である。従って、本実施形態のエジェクタ式冷凍サイクル１０においても第１実施形態と同様の効果を得ることができる。
【０１６９】
さらに、本実施形態のように第２流出側連通穴９３ｄを形成しても、第１実施形態で説明した条件５と同様に合計開口面積を調整することができる。従って、本実施形態の蒸発器ユニット２０においても、第１実施形態と同様に、冷却された送風空気に温度分布が生じてしまうことを効果的に抑制することができる。
【０１７０】
（第３実施形態）
本実施形態では、第１実施形態に対して、図１４に示すように、板状部材９３に１つの第２流出側連通穴９３ｄを形成している。なお、図１４は、第１実施形態で説明した図４に対応する図面である。
【０１７１】
本実施形態では、第１領域ＥＦ１〜第５領域ＥＦ５における第２流出側連通穴９３ｄの開口形状を変化させることによって、第１領域ＥＦ１における開口面積、第２領域ＥＦ２における開口面積、第３領域ＥＦ３における開口面積が、それぞれ第２領域ＥＦ２における開口面積、および第４領域ＥＦ４における開口面積の双方よりも大きくなっている。
【０１７２】
その他の蒸発器ユニット２０およびエジェクタ式冷凍サイクル１０の構成および作動は、第１実施形態と同様である。従って、本実施形態のエジェクタ式冷凍サイクル１０においても第１実施形態と同様の効果を得ることができる。
【０１７３】
さらに、本実施形態のように第２流出側連通穴９３ｄを形成しても、第１実施形態で説明した条件５と同様に合計開口面積を調整することができる。従って、本実施形態の蒸発器ユニット２０においても、第１実施形態と同様に、冷却された送風空気に温度分布が生じてしまうことを効果的に抑制することができる。
【０１７４】
（第４実施形態）
本実施形態では、第１実施形態に対して、図１５に示すように、複数（本実施形態では、５つ）の冷媒連通路７２ｃのうち、板状部材９３の第１領域ＥＦ１、第３領域ＥＦ３、第５領域ＥＦ５に近接配置された冷媒連通路７２ｃの開口面積を、第２領域ＥＦ２および第４領域ＥＦ４に近接配置された冷媒連通路７２ｃの開口面積よりも大きく形成している。なお、図１５は、第１実施形態で説明した図３に対応する図面である。
【０１７５】
その他の蒸発器ユニット２０およびエジェクタ式冷凍サイクル１０の構成および作動は、第１実施形態と同様である。従って、本実施形態のエジェクタ式冷凍サイクル１０においても第１実施形態と同様の効果を得ることができる。
【０１７６】
さらに、本実施形態では、エジェクタタンク２３のエジェクタ流出側空間２３ｃ内の冷媒を、冷媒連通路７２ｃを介して流出側分配空間７２ｂのエジェクタ側分配空間７２１ｂへ流入させる際に、板状部材９３の第１領域ＥＦ１側、第３領域ＥＦ３側、第５領域ＥＦ５側に流入させやすい。
【０１７７】
これにより、エジェクタ側分配空間７２１ｂへ流入した冷媒を、第２流出側連通穴９３ｄを介して、チューブ側分配空間７２２ｂへ流入させる際に、より一層、チューブ側分配空間７２２ｂ内の全域に均等に分配して流入させやすくなる。その結果、冷却された送風空気に生じる温度分布をより一層効果的に抑制することができる。
【０１７８】
（第５実施形態）
上述の実施形態では、エジェクタ流出側空間２３ｃ内の冷媒がいずれの領域に偏在していても、冷却された送風空気に生じる温度分布を抑制可能な蒸発器ユニット２０について説明した。ところが、同等の仕様の蒸発器ユニット２０であっても、仕向地（使用される場所）によってエジェクタ式冷凍サイクル１０の運転条件が異なると、エジェクタ流出側空間２３ｃ内の冷媒の偏在しやすい領域が変化する。
【０１７９】
例えば、比較的湿度の低い仕向地で利用される車両用空調装置では、除湿暖房運転が実行されにくいので、サイクルの循環冷媒流量が極低流量となることも少ない。このため、エジェクタ１５から流出した冷媒は、エジェクタ流出側空間２３ｃ内のエジェクタ１５から離れた側（すなわち、長手方向他端側）に偏在しやすいものの、エジェクタ１５に近い側（すなわち、長手方向一端側）には偏在しにくくなる
このようにエジェクタ流出側空間２３ｃ内において冷媒が偏在しやすい領域を予め把握することができる場合には、冷媒が偏在しやすい領域に応じて、板状部材９３の第２流出側連通穴９３ｄを変化させることが望ましい。
【０１８０】
そこで、本実施形態では、エジェクタ１５から流出した冷媒がエジェクタ流出側空間２３ｃ内のエジェクタ１５から離れた側に偏在しやすい条件で利用される蒸発器ユニット２０について説明する。具体的には、本実施形態の蒸発器ユニット２０では、図１６に示すように、第１実施形態に対して、板状部材９３の第２流出側連通穴９３ｄの形状を変更している。なお、図１６は、第１実施形態で説明した図４に対応する図面である。
【０１８１】
本実施形態の第２流出側連通穴９３ｄは、図１６に示すように、それぞれ第１実施形態と同等の円形状に形成されている。第２流出側連通穴９３ｄは、板状部材９３の長手方向に不等間隔で配置されている。
【０１８２】
さらに、板状部材９３の長手方向に垂直な方向から見たときに、エジェクタ１５のディフューザ部１５ｄに近い側に配置される第２流出側連通穴９３ｄの間隔が、エジェクタタンク２３の冷媒流れ下流側の端部に近い側に配置される第２流出側連通穴９３ｄの間隔よりも狭くなっている。
【０１８３】
従って、複数の第２流出側連通穴９３ｄのうち、エジェクタ１５のディフューザ部１５ｄの冷媒出口から予め定めた基準距離ＫＬ内に配置される第２流出側連通穴９３ｄの合計開口面積は、エジェクタタンク２３の冷媒流れ下流側の端部から基準距離ＫＬ内に配置される第２流出側連通穴９３ｄの合計開口面積よりも大きくなっている。
【０１８４】
このため、流出側分配空間７２ｂのうち、エジェクタ側分配空間７２１ｂ側からチューブ側分配空間７２２ｂ側へ流れる冷媒は、ディフューザ部１５ｄの冷媒出口に近い側に配置される第２流出側連通穴９３ｄを流通しやすい。
【０１８５】
なお、基準距離ＫＬは、上述した合計開口面積の関係を満たすように任意に決定することができる。つまり、全ての基準距離ＫＬにおいて、上述した合計開口面積の関係を満たしているわけではない。その他の蒸発器ユニット２０およびエジェクタ式冷凍サイクル１０の構成および作動は、第１実施形態と同様である。
【０１８６】
本実施形態の蒸発器ユニット２０では、エジェクタ１５のディフューザ部１５ｄの冷媒出口に近い側に配置される第２流出側連通穴９３ｄの合計開口面積が、エジェクタタンク２３の冷媒流れ下流側の端部に近い側に配置される第２流出側連通穴９３ｄの合計開口面積よりも大きくなっている。
【０１８７】
従って、エジェクタ流出側空間２３ｃからエジェクタ側分配空間７２１ｂへ流入した冷媒を、チューブ側分配空間７２２ｂのうちディフューザ部１５ｄの冷媒出口に近い側に導きやすい。
【０１８８】
つまり、エジェクタ側分配空間７２１ｂに流入した冷媒がディフューザ部１５ｄから離れた側に偏在していても、第２流出側連通穴９３ｄを介して、エジェクタ側分配空間７２１ｂ内の冷媒をチューブ側分配空間７２２ｂの全域に略均等に流入させやすい。これにより、チューブ側分配空間７２２ｂから複数の流出側チューブ７１へ略均等な流量の冷媒を流入させることができる。
【０１８９】
その結果、本実施形態の蒸発器ユニット２０によれば、冷却された送風空気に生じる温度分布を極めて効果的に抑制することができる。
【０１９０】
換言すると、本実施形態の蒸発器ユニットは、第１実施形態と同様の構成を備え、
連通穴（第２流出側連通穴９３ｄ）のうち、昇圧部（ディフューザ部１５ｄ）の冷媒出口に近い側に配置される連通穴（第２流出側連通穴９３ｄ）の開口面積が、エジェクタタンク２３の冷媒流れ下流側の端部に近い側に配置される連通穴（第２流出側連通穴９３ｄ）の開口面積よりも大きくなっていることを特徴としている。
【０１９１】
これによれば、エジェクタ１５から流出した冷媒がエジェクタ流出側空間２３ｃ内のエジェクタ１５から離れた側に偏在しやすい条件で利用される蒸発器ユニット２０において、冷却された送風空気に生じる温度分布を効果的に抑制することができる。
【０１９２】
さらに、本実施形態の蒸発器ユニット２０では、連通穴（第２流出側連通穴９３ｄ）は、複数設けられており、複数の連通穴（第２流出側連通穴９３ｄ）は、流出側タンク７２、７３の長手方向に互いに不等間隔で配置されており、昇圧部（ディフューザ部１５ｄ）の冷媒出口に近い側に配置される連通穴（第２流出側連通穴９３ｄ）の間隔が、エジェクタタンク２３の冷媒流れ下流側の端部に近い側に配置される連通穴（第２流出側連通穴９３ｄ）の間隔よりも狭く形成されていることを特徴としている。
【０１９３】
このような連通穴（第２流出側連通穴９３ｄ）の配置は、複数の第２流出側連通穴９３ｄを板状部材９３に穴開け加工して形成する際に、等間隔に配置される第２流出側連通穴９３ｄの一部を間引きして加工することによって、容易に実現することができる。
【０１９４】
（第６実施形態）
本実施形態では、第５実施形態に対して、図１７に示すように、複数の第２流出側連通穴９３ｄを板状部材９３の長手方向に等間隔に配置するとともに、ディフューザ部１５ｄの冷媒出口に近い側に配置される第２流出側連通穴９３ｄの合計開口面積を、エジェクタタンク２３の冷媒流れ下流側の端部に近い側に配置される第２流出側連通穴９３ｄの合計開口面積よりも大きく形成している。
【０１９５】
より詳細には、本実施形態では、ディフューザ部１５ｄの冷媒出口に近い側から、エジェクタタンク２３の冷媒流れ下流側へ向かって、複数の第２流出側連通穴９３ｄの開口面積を小さく形成している。なお、図１７は、第５実施形態の図１６に対応する図面である。
【０１９６】
その他の蒸発器ユニット２０およびエジェクタ式冷凍サイクル１０の構成および作動は、第５実施形態と同様である。従って、本実施形態のエジェクタ式冷凍サイクル１０においても第５実施形態と同様の効果を得ることができる。
【０１９７】
（第７実施形態）
本実施形態では、第５実施形態に対して、図１８に示すように、板状部材９３に１つの第２流出側連通穴９３ｄを形成している。
【０１９８】
より具体的には、本実施形態の第２流出側連通穴９３ｄは、流出側分配空間７２ｂの長手方向中央部よりもディフューザ部１５ｄの冷媒出口に近い側の部位の開口面積が、長手方向中央部よりもエジェクタタンク２３の冷媒流れ下流側の端部に近い側の部位の開口面積よりも大きく形成されている。なお、図１８は、第５実施形態で説明した図１６に対応する図面である。
【０１９９】
その他の蒸発器ユニット２０およびエジェクタ式冷凍サイクル１０の構成および作動は、第５実施形態と同様である。従って、本実施形態のエジェクタ式冷凍サイクル１０においても第５実施形態と同様の効果を得ることができる。
【０２００】
（第８実施形態）
第５実施形態で説明したように、車両用空調装置の仕向地が異なるとエジェクタ式冷凍サイクル１０の運転条件が異なるので、エジェクタ流出側空間２３ｃ内の冷媒の偏在しやすい領域も変化する。
【０２０１】
本実施形態では、エジェクタ１５から流出した冷媒がエジェクタ流出側空間２３ｃ内のエジェクタ１５に近い側に偏在しやすい条件で利用される蒸発器ユニット２０について説明する。具体的には、本実施形態の蒸発器ユニット２０では、図１９に示すように、第１実施形態に対して、板状部材９３の第２流出側連通穴９３ｄの形状を変更している。なお、図１９は、第１実施形態で説明した図４に対応する図面である。
【０２０２】
本実施形態の第２流出側連通穴９３ｄは、図１９に示すように、それぞれ第１実施形態と同等の円形状に形成されている。第２流出側連通穴９３ｄは、板状部材９３の長手方向に不等間隔で配置されている。
【０２０３】
さらに、板状部材９３の長手方向に垂直な方向から見たときに、エジェクタタンク２３の冷媒流れ下流側の端部に近い側に配置される第２流出側連通穴９３ｄの間隔が、エジェクタ１５のディフューザ部１５ｄに近い側に配置される第２流出側連通穴９３ｄの間隔よりも狭くなっている。
【０２０４】
従って、複数の第２流出側連通穴９３ｄのうち、エジェクタタンク２３の冷媒流れ下流側の端部から第５実施形態と同様に定めた基準距離ＫＬ内に配置される第２流出側連通穴９３ｄの合計開口面積は、エジェクタ１５のディフューザ部１５ｄの冷媒出口から基準距離ＫＬ内に配置される第２流出側連通穴９３ｄの合計開口面積よりも大きくなっている。
【０２０５】
このため、流出側分配空間７２ｂのうち、エジェクタ側分配空間７２１ｂ側からチューブ側分配空間７２２ｂ側へ流れる冷媒は、エジェクタタンク２３の冷媒流れ下流側の端部に近い側に配置される第２流出側連通穴９３ｄを流通しやすい。その他の蒸発器ユニット２０およびエジェクタ式冷凍サイクル１０の構成および作動は、第１実施形態と同様である。
【０２０６】
本実施形態の蒸発器ユニット２０では、エジェクタタンク２３の冷媒流れ下流側の端部に近い側に配置される第２流出側連通穴９３ｄの合計開口面積が、エジェクタ１５のディフューザ部１５ｄの冷媒出口に近い側に配置される第２流出側連通穴９３ｄの合計開口面積よりも大きくなっている。
【０２０７】
従って、エジェクタ流出側空間２３ｃからエジェクタ側分配空間７２１ｂへ流入した冷媒を、エジェクタタンク２３の冷媒流れ下流側の端部に近い側に導きやすい。
【０２０８】
つまり、エジェクタ側分配空間７２１ｂに流入した冷媒がエジェクタ１５に近い側に偏在していても、第２流出側連通穴９３ｄを介して、エジェクタ側分配空間７２１ｂ内の冷媒をチューブ側分配空間７２２ｂの全域に略均等に流入させやすい。これにより、チューブ側分配空間７２２ｂから複数の流出側チューブ７１へ略均等な流量の冷媒を流入させることができる。
【０２０９】
その結果、本実施形態の蒸発器ユニット２０によれば、冷却された送風空気に生じる温度分布を極めて効果的に抑制することができる。
【０２１０】
換言すると、本実施形態の蒸発器ユニットは、第１実施形態と同様の構成を備え、
連通穴（第２流出側連通穴９３ｄ）のうち、エジェクタタンク２３の冷媒流れ下流側の端部に近い側に配置される連通穴（第２流出側連通穴９３ｄ）の開口面積が、昇圧部（ディフューザ部１５ｄ）の冷媒出口に近い側に配置される連通穴（第２流出側連通穴９３ｄ）の開口面積よりも大きくなっていることを特徴としている。
【０２１１】
これによれば、エジェクタ１５から流出した冷媒がエジェクタ流出側空間２３ｃ内のエジェクタ１５に近い側に偏在しやすい条件で利用される蒸発器ユニット２０において、冷却された送風空気に生じる温度分布を効果的に抑制することができる。
【０２１２】
さらに、本実施形態の蒸発器ユニット２０では、連通穴（第２流出側連通穴９３ｄ）は、複数設けられており、複数の連通穴（第２流出側連通穴９３ｄ）は、流出側タンク７２、７３の長手方向に互いに不等間隔で配置されており、エジェクタタンク２３の冷媒流れ下流側の端部に近い側に配置される連通穴（第２流出側連通穴９３ｄ）の間隔が、昇圧部（ディフューザ部１５ｄ）の冷媒出口に近い側に配置される連通穴（第２流出側連通穴９３ｄ）の間隔よりも狭く形成されていることを特徴としている。
【０２１３】
このような連通穴（第２流出側連通穴９３ｄ）の配置は、複数の第２流出側連通穴９３ｄを板状部材９３に穴開け加工して形成する際に、等間隔に配置される第２流出側連通穴９３ｄの一部を間引きして加工することによって、容易に実現することができる。
【０２１４】
（第９実施形態）
本実施形態では、第８実施形態に対して、図２０に示すように、複数の第２流出側連通穴９３ｄを板状部材９３の長手方向に等間隔に配置するとともに、エジェクタタンク２３の冷媒流れ下流側の端部に近い側に配置される第２流出側連通穴９３ｄの合計開口面積を、ディフューザ部１５ｄの冷媒出口に近い側に配置される第２流出側連通穴９３ｄの合計開口面積よりも大きく形成している。
【０２１５】
より詳細には、本実施形態では、ディフューザ部１５ｄの冷媒出口に近い側から、エジェクタタンク２３の冷媒流れ下流側へ向かって、複数の第２流出側連通穴９３ｄの開口面積を大きく形成している。なお、図２０は、第８実施形態の図１９に対応する図面である。
【０２１６】
その他の蒸発器ユニット２０およびエジェクタ式冷凍サイクル１０の構成および作動は、第８実施形態と同様である。従って、本実施形態のエジェクタ式冷凍サイクル１０においても第８実施形態と同様の効果を得ることができる。
【０２１７】
（第１０実施形態）
本実施形態では、第８実施形態に対して、図２１に示すように、板状部材９３に１つの第２流出側連通穴９３ｄを形成している。
【０２１８】
より具体的には、本実施形態の第２流出側連通穴９３ｄは、長手方向中央部よりもエジェクタタンク２３の冷媒流れ下流側の端部に近い側の部位の開口面積が、流出側分配空間７２ｂの長手方向中央部よりもディフューザ部１５ｄの冷媒出口に近い側の部位の開口面積よりも大きく形成されている。なお、図２１は、第８実施形態で説明した図１９に対応する図面である。
【０２１９】
その他の蒸発器ユニット２０およびエジェクタ式冷凍サイクル１０の構成および作動は、第８実施形態と同様である。従って、本実施形態のエジェクタ式冷凍サイクル１０においても第８実施形態と同様の効果を得ることができる。
【０２２０】
（他の実施形態）
本発明は上述の実施形態に限定されることなく、本発明の趣旨を逸脱しない範囲内で、以下のように種々変形可能である。
【０２２１】
（１）上述の第１、第５、第８実施形態等では、板状部材９３に形成された各連通穴９３ａ〜９３ｄとして円形状に形成されたものを採用しているが、各連通穴９３ａ〜９３ｄの形状はこれに限定されない。例えば、楕円形状、長円形状（平行に延びる２辺の端部を円弧で接続した形状）、多角形状等に形成されていてもよい。
【０２２２】
（２）上述の第４実施形態では、第１領域ＥＦ１、第３領域ＥＦ３、第５領域ＥＦ５に近接配置された冷媒連通路７２ｃの開口面積を、いずれも第２領域ＥＦ２および第４領域ＥＦ４に近接配置された冷媒連通路７２ｃの開口面積よりも大きく形成した例を説明したが、冷媒連通路７２ｃの開口面積はこれに限定されない。
【０２２３】
すなわち、適用されるエジェクタ式冷凍サイクル１０の運転条件に応じて、第１領域ＥＦ１、第３領域ＥＦ３、第５領域ＥＦ５に近接配置された冷媒連通路７２ｃの開口面積を、いずれも第２領域ＥＦ２および第４領域ＥＦ４に近接配置された冷媒連通路７２ｃの開口面積よりも小さく形成してもよい。
【０２２４】
（３）上述の実施形態では、板状部材９３によって、上部流出側タンク７２および上部吸引側タンク８２の内部空間の全域を、各チューブ７１、８１に近い側のチューブ側の空間と各チューブ７１、８１に遠い側の反チューブ側の空間に仕切った例を説明したが、上部流出側タンク７２および上部吸引側タンク８２の内部空間の全域を仕切る必要はない。
【０２２５】
つまり、板状部材９３のうち、上部吸引側タンク８２の上部吸引側の一端側空間８２ａ、上部吸引側の他端側空間８２ｄ、上部流出側タンク７２の流出側集合空間７２ａを仕切る部位については必須の構成ではない。
【０２２６】
従って、板状部材９３として上部流出側タンク７２の流出側分配空間７２ｂのみを仕切るものを採用するとともに、上部吸引側タンク８２を上部吸引側の一端側空間８２ａ、チューブ側空間８２ｂ、反チューブ側空間８２ｃ、上部吸引側の他端側空間８２ｄの４つの空間に区画する区画部材を配置してもよい。
【０２２７】
（４）エジェクタ式冷凍サイクル１０を構成する各構成機器は、上述の実施形態に開示されたものに限定されない。
【０２２８】
例えば、上述の実施形態では、圧縮機１１として、電動圧縮機を採用した例を説明したが、圧縮機１１として、プーリ、ベルト等を介して車両走行用エンジンから伝達される回転駆動力によって駆動されるエンジン駆動式の圧縮機を採用してもよい。さらに、エンジン駆動式の圧縮機としては、吐出容量の変化により冷媒吐出能力を調整可能な可変容量型圧縮機、あるいは電磁クラッチの断続により圧縮機の稼働率を変化させて冷媒吐出能力を調整可能な固定容量型圧縮機を採用することができる。
【０２２９】
また、上述の実施形態では、放熱器１２として、レシーバ一体型の凝縮器を採用した例を説明したが、さらに、レシーバ部１２ｂから流出した液相冷媒を過冷却する過冷却部を有して構成される、いわゆるサブクール型の凝縮器を採用してもよい。この他にも、凝縮部１２ａのみからなる放熱器１２、および放熱器１２から流出した冷媒の気液を分離して、分離された液相冷媒を下流側へ流出させる受液器（レシーバ）を採用してもよい。
【０２３０】
また、上述の実施形態では、エジェクタ１５として、冷媒通路面積が変化しない固定ノズル部を有するものを採用した例を説明したが、もちろん、冷媒通路面積を変更可能な可変ノズル部を有する可変エジェクタを用いてもよい。可変ノズル部の具体例としては、例えば、可変ノズル部の通路内にニードル状あるいは円錐状の弁体部を挿入し、この弁体部を変位させることによって通路面積を調整する構成とすればよい。
【０２３１】
また、上述の実施形態では、冷媒としてＲ１３４ａを採用した例を説明したが、冷媒はこれに限定されない。例えば、Ｒ１２３４ｙｆ、Ｒ６００ａ、Ｒ４１０Ａ、Ｒ４０４Ａ、Ｒ３２、Ｒ４０７Ｃ、等を採用してもよい。または、これらの冷媒のうち複数種を混合させた混合冷媒等を採用してもよい。
【０２３２】
（５）上述の実施形態では、ろう付け接合することによって、各構成機器を一体化させた例を説明したが、各構成機器の一体化手段として、ねじ止め、かしめ、溶接、接着等の種々な手段を採用してもよい。さらに、各構成機器を一体化することなく、蒸発器ユニット２０と同様に接続することで、エジェクタ式冷凍サイクルを構成することによるＣＯＰ向上効果を得ることもできる。
【０２３３】
（６）上述の各実施形態では、本発明に係る蒸発器ユニット２０を車両に搭載されるエジェクタ式冷凍サイクル１０に適用した例を説明したが、蒸発器ユニット２０の適用はこれに限定されない。例えば、定置用等のエジェクタ式冷凍サイクルに適用してもよい。
【０２３４】
（７）また、上記各実施形態に開示された手段は、実施可能な範囲で適宜組み合わせてもよい。
【０２３５】
例えば、第５〜第１０実施形態に開示された蒸発器ユニット２０において、隣り合う第２流出側連通穴９３ｄの中心点同士の間隔の最大値ＨＬが、基準本数（例えば、４本）の流出側チューブ７１が積層配置された際の積層距離以下となっていることが望ましい。これによれば、第１実施形態と同様に、一部の流出側チューブに冷媒が供給されなくなってしまうこと抑制することができる。
【０２３６】
また、第５〜第７実施形態に開示された蒸発器ユニット２０において、複数の冷媒連通路７２ｃのうち、ディフューザ部１５ｄの冷媒出口に最も近い側に配置される冷媒連通路７２ｃの通路面積が、他の冷媒連通路７２ｃの通路面積よりも大きくなっていることが望ましい。
【０２３７】
これによれば、ディフューザ部１５ｄからエジェクタ流出側空間２３ｃへ流出した冷媒が、ディフューザ部１５ｄから離れた側に偏在していても、通路面積の異なる冷媒連通路７２ｃを介して、エジェクタ流出側空間２３ｃ内の冷媒を流出側分配空間７２ｂの全域に略均等に流入させやすい。
【０２３８】
また、第８〜第１０実施形態に開示された蒸発器ユニット２０において、複数の冷媒連通路７２ｃのうち、ディフューザ部１５ｄの冷媒出口から最も遠い側に配置される冷媒連通路７２ｃの通路面積が、他の冷媒連通路７２ｃの通路面積よりも大きくなっていることが望ましい。
【０２３９】
これによれば、ディフューザ部１５ｄからエジェクタ流出側空間２３ｃへ流出した冷媒が、ディフューザ部１５ｄに近い側に偏在していても、通路面積の異なる冷媒連通路７２ｃを介して、エジェクタ流出側空間２３ｃ内の冷媒を流出側分配空間７２ｂの全域に略均等に流入させやすい。
【符号の説明】
【０２４０】
１５      エジェクタ
１５ａ    ノズル部
１５ｂ    ボデー部
１５ｄ    ディフューザ部（昇圧部）
１７      流出側蒸発器
７２      上部流出側タンク（流出側タンク）
７２ｂ    流出側分配空間
７２１ｂ  エジェクタ側分配空間
７２２ｂ  チューブ側分配空間
９３      板状部材（仕切板）
９３ｄ    第２流出側連通穴（連通穴）
【図１】
2018004233.tif 000003
【図２】
2018004233.tif 000004
【図３】
2018004233.tif 000005
【図４】
2018004233.tif 000006
【図５】
2018004233.tif 000007
【図６】
2018004233.tif 000008
【図７】
2018004233.tif 000009
【図８】
2018004233.tif 000010
【図９】
2018004233.tif 000011
【図１０】
2018004233.tif 000012
【図１１】
2018004233.tif 000013
【図１２】
2018004233.tif 000014
【図１３】
2018004233.tif 000015
【図１４】
2018004233.tif 000016
【図１５】
2018004233.tif 000017
【図１６】
2018004233.tif 000018
【図１７】
2018004233.tif 000019
【図１８】
2018004233.tif 000020
【図１９】
2018004233.tif 000021
【図２０】
2018004233.tif 000022
【図２１】
2018004233.tif 000023